(57)【要約】【課題】かしめ機構が接合面に合わせて不正に切断されることを防ぎ、また、不正に切断された場合には、容易に不正切断を発見することができる遊技機を提供する。【解決手段】制御基板３５を内部に収納するための基板ボックス３４を備え、第１ケース体４１と第２ケース体４２を封止するためのかしめ機構４７を備え、かしめ機構４７は、封止具５４を用いて封止部５５を構成する封止体５７と封止受部５６を固着する機構であり、封止体５７と封止受部５６とが接合している接合面を、封止部５５における上下方向（基板ボックス３４の厚さ方向）に対して高低差を有し、かつ前記接合面の高低差が封止体および／または封止受部５６の側面に露出する面により構成した遊技機。【選択図】図９
2011212360.tif 000002
【特許請求の範囲】
【請求項１】
遊技制御実行用の電子部品が実装された制御基板と、該制御基板を内部に収納するための基板ボックスと、を備え
前記基板ボックスは第１ケース体と第２ケース体とにより構成され、
前記第１ケース体と前記第２ケース体とを閉じた状態で封止するためのかしめ機構を備え、該かしめ機構を破損しない限り当該基板ボックスの封止を解除不能とした遊技機において、
前記かしめ機構は、封止部と封止具とを備え、
該封止部は、前記第１ケース体と前記第２ケース体との一方に設けられた封止受部と、前記第１ケース体と前記第２ケース体との他方に設けられた封止体とから構成され、
前記封止具は、封止体と封止受部とを固着可能、且つ固着状態を解除不能とし、
前記固着状態において前記封止体と封止受部とが接合する接合面を、前記基板ボックスの厚さ方向に対して高低差を有し、かつ前記高低差が封止体および／または封止受部の側面に露出する面により構成したことを特徴とする遊技機。
【請求項２】
前記かしめ機構の接合面を曲面により構成したことを特徴とする請求項１に記載の遊技機。
【請求項３】
前記かしめ機構の接合面を段差を有する面により構成したことを特徴とする請求項１または請求項２に記載の遊技機。
【請求項４】
前記封止体および前記封止受部のうち、一方の部材で他方の部材の周囲を覆うことを特徴とする請求項１から請求項３のいずれかに記載の遊技機。
【請求項５】
前記かしめ機構の接合面の一側且つ目視可能な箇所に、突起部を設けることを特徴とする請求項１から請求項４のいずれかに記載の遊技機。
【請求項６】
封止体と封止受部とを、異なる色に着色することを特徴とする請求項５に記載の遊技機。
【発明の詳細な説明】
【技術分野】
【０００１】
本発明は、遊技制御実行用の電子部品が実装された制御基板と、該制御基板を内部に収納するための基板ボックスと、を備えたパチンコ遊技機等の遊技機に関する。
【背景技術】
【０００２】
従来の遊技機、例えば、パチンコ遊技機やスロットマシンに搭載された遊技制御装置（メイン制御装置）は、各種の電子部品が実装された遊技制御基板を基板ボックスに収納した構成となっている。この基板ボックスは、ベースとなる第１ケース体と、蓋となる第２ケース体とから構成され、第１ケース体と第２ケース体を重ねると遊技制御基板を収納できる空間部が形成されるようになっている。そして、第２ケース体には、遊技制御基板上のコネクタ部を外部に露出できる開口部が形成され、遊技制御基板はコネクタ部のみを外部に露出した状態でボックス内に収納可能としている。
【０００３】
また、遊技制御基板には、所定の遊技制御プログラムが記憶された記憶手段（具体的にはメモリー）を搭載している。そして、遊技制御基板に対する不正行為として、制御装置自体と不正装置とが不正に交換されたり、基板ボックスを開放して正規な記憶手段を外し、代わりに不正な遊技制御プログラムが記憶された不正記憶手段を取り付けられたりしてしまうことがある。これらのような不正行為に対処すべく、基板ボックスの開放を防止するために、破壊（例えば、ニッパー等の工具により切断）しなければ第１ケース体と第２ケース体とを分離できないように封止する封止機構（所謂かしめ機構）を複数設ける旨が提案されている。また、前記かしめ機構の一例として、第１ケース体と第２ケース体のそれぞれに開封腕部を介してかしめ部を突設し、各かしめ部を接合して一方向ビスで一体結合するかしめ機構が提案されている。さらに、不正に開封腕部を切断した後に、その切断部を接合修復することで、遊技制御基板の不正交換を隠蔽する事犯が発見されており、その対策として、開封腕部内にインク類を封入し、開封腕部が切断されると、内部のインク類が流出して周囲に付着すると共に、開封腕部内のインク類の減少により不正を発見し易くする旨が提案されている（例えば、特許文献１参照）。
【先行技術文献】
【特許文献】
【０００４】
【特許文献１】特開２００１−３１４６２４号公報
【発明の概要】
【発明が解決しようとする課題】
【０００５】
ところが、近年、開封腕部を破壊せずに、かしめ機構の接合面に合わせてレーザーカッター等でビスを切断してかしめ機構を破壊した後、その切断部を接合修復することで、遊技制御基板の不正交換を隠蔽する事犯が発見されている。このような場合には、上記特許文献に記載された遊技機の基板ケースでは、インク類が流出せず、さらに、かしめ機構の接合面と、不正に切断した箇所が重なるため、不正を発見することが難しい。
【０００６】
本発明は、上記の事情に鑑みてなされたものであり、その目的は、かしめ機構が接合面に合わせて不正に切断されることを防ぎ、また、不正に切断された場合には、容易に不正切断を発見することができる遊技機を提供しようとするものである。
【課題を解決するための手段】
【０００７】
本発明は、上記目的を達成するために提案されたものであり、請求項１に記載のものは  遊技制御実行用の電子部品が実装された制御基板と、該制御基板を内部に収納するための基板ボックスと、を備え
前記基板ボックスは第１ケース体と第２ケース体とにより構成され、
前記第１ケース体と前記第２ケース体とを閉じた状態で封止するためのかしめ機構を備え、該かしめ機構を破損しない限り当該基板ボックスの封止を解除不能とした遊技機において、
前記かしめ機構は、封止部と封止具とを備え、
該封止部は、前記第１ケース体と前記第２ケース体との一方に設けられた封止受部と、前記第１ケース体と前記第２ケース体との他方に設けられた封止体とから構成され、
前記封止具は、封止体と封止受部とを固着可能、且つ固着状態を解除不能とし、
前記固着状態において前記封止体と封止受部とが接合する接合面を、前記基板ボックスの厚さ方向に対して高低差を有し、かつ前記高低差が封止体および／または封止受部の側面に露出する面により構成したことを特徴とする遊技機である。
【０００８】
請求項２に記載のものは、前記かしめ機構の接合面を曲面により構成したことを特徴とする請求項１に記載の遊技機である。
【０００９】
請求項３に記載のものは、前記かしめ機構の接合面を段差を有する面により構成したことを特徴とする請求項１または請求項２に記載の遊技機である。
【００１０】
請求項４に記載のものは、前記封止体および前記封止受部のうち、一方の部材で他方の部材の周囲を覆うことを特徴とする請求項１から請求項３のいずれかに記載の遊技機である。
【００１１】
請求項５に記載のものは、前記かしめ機構の接合面の一側且つ目視可能な箇所に、突起部を設けることを特徴とする請求項１から請求項４のいずれかに記載の遊技機である。
【００１２】
請求項６に記載のものは、封止体と封止受部とを、異なる色に着色することを特徴とする請求項５に記載の遊技機である。
【発明の効果】
【００１３】
本発明によれば、以下のような優れた効果を奏する。
すなわち本発明の遊技機は、遊技制御実行用の電子部品が実装された制御基板と、該制御基板を内部に収納するための基板ボックスと、を備え基板ボックスは第１ケース体と第２ケース体とにより構成され、第１ケース体と前記第２ケース体とを閉じた状態で封止するためのかしめ機構を備え、該かしめ機構を破損しない限り当該基板ボックスの封止を解除不能とした遊技機において、かしめ機構は、封止部と封止具とを備え、該封止部は、第１ケース体と第２ケース体との一方に設けられた封止受部と、第１ケース体と第２ケース体との他方に設けられた封止体とから構成され、封止具は、封止体と封止受部とを固着可能、且つ固着状態を解除不能とし、固着状態において封止体と封止受部とが接合する接合面を、基板ボックスの厚さ方向に対して高低差を有し、かつ高低差が封止体および／または封止受部の側面に露出する面により構成したので、かしめ機構を接合面に沿ってレーザーカッター等で不正に切断することが困難であり、切断に時間がかかるため、不正の発生を抑制することができる。また、接合面に沿わずに切断された場合には、切断線を封止部の外部から視認することができるので、容易に不正切断を発見することができる。さらに、接合面と交差するように切断された場合には、封止部の一部が欠け落ちるため、容易に不正切断を発見することができる。
【００１４】
また本発明の遊技機は、封止体および封止受部のうち、一方の部材で他方の部材の周囲を覆ったので、封止具を切断する箇所でかしめ機構を切断すると、確実に切断線が目視できる状態になるため、容易に不正切断を発見することができる。
【００１５】
さらに、本発明の遊技機は、封止体と封止受部とを、異なる色に着色したので、不正切断箇所から封止体と封止受部のどちらかが欠け落ちた場合、欠け落ちた切断片を発見しやすく、不正切断箇所が発見し難くなったとしても、容易に不正切断を発見することができる。また、欠け落ちた切断片の色で封止体と封止受部のどちらが欠けたのかを識別できるので、不正切断箇所をある程度予測でき、不正切断箇所が発見しやすくなる。
【図面の簡単な説明】
【００１６】
【図１】前面側を開放した状態のパチンコ遊技機の斜視図である。
【図２】前面カバー部材を開き、遊技盤を取り外した状態のパチンコ遊技機の斜視図である。
【図３】パチンコ遊技機の背面図である。
【図４】遊技制御装置の後方から見た分解斜視図である。
【図５】第１ケース体の説明図であり、（ａ）は後方から見た斜視図、（ｂ）は前方から見た斜視図である。
【図６】第２ケース体の説明図であり、（ａ）は後方から見た斜視図、（ｂ）は前方から見た斜視図である。
【図７】遊技制御装置の説明図であり、（ａ）は後方から見た斜視図、（ｂ）は左側方から見た斜視図である。
【図８】内部に封止具を挿入した状態の封止部の拡大断面図である。
【図９】基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た正面図である。
【図１０】第２実施形態における基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た正面図である。
【図１１】第３実施形態における基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た正面図である。
【図１２】第４実施形態における基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た斜視図、（ｃ）は封止体と封止受部を接合した状態を基板ボックスの側方から見た正面図である。
【図１３】第５実施形態における基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た斜視図、（ｃ）は封止体と封止受部を接合した状態を基板ボックスの側方から見た正面図である。
【図１４】第６実施形態における基板ボックスのうち遊技盤の裏側から見て左側に位置する封止部の説明図であり、（ａ）は封止部を封止体と封止受部に分離した状態を基板ボックスの側方から見た斜視図、（ｂ）は封止体と封止受部を接合した状態を基板ボックスの側方から見た斜視図、（ｃ）は封止体と封止受部を接合した状態を基板ボックスの側方から見た正面図である。
【図１５】第７実施形態における基板ボックスのうち遊技盤の裏側から見て左側に位置する封止部の説明図であり、（ａ）は封止体が封止受部へスライド移動している状態を基板ボックスの側方から見た斜視図、（ｂ）は封止部を封止体と封止受部に分離した状態を基板ボックスの側方から見た斜視図、（ｃ）は封止体と封止受部を接合した状態を基板ボックスの側方から見た斜視図、
【図１６】第１実施形態における基板ボックスのうち遊技盤の裏側から見て左側に位置する封止部が不正に切断されたときの説明図であり、（ａ）は基板ボックスの側方から見た斜視図、（ｂ）は基板ボックスの側方から見た正面図である。
【図１７】第２実施形態における基板ボックスのうち遊技盤の裏側から見て左側に位置する封止部が不正に切断されたときの説明図であり、（ａ）は基板ボックスの側方から見た斜視図、（ｂ）は基板ボックスの側方から見た正面図である。
【図１８】第３実施形態における基板ボックスのうち遊技盤の裏側から見て左側に位置する封止部が不正に切断されたときの説明図であり、（ａ）は基板ボックスの側方から見た斜視図、（ｂ）は基板ボックスの側方から見た正面図である。
【図１９】第４実施形態における基板ボックスのうち遊技盤の裏側から見て左側に位置する封止部が不正に切断されたときの説明図であり、（ａ）は基板ボックスの側方から見た斜視図、（ｂ）は基板ボックスの側方から見た正面図である。
【図２０】第７実施形態における基板ボックスのうち遊技盤の裏側から見て左側に位置する封止部が不正に切断されたときの基板ボックスの側方から見た説明図である。
【発明を実施するための形態】
【００１７】
以下、代表的な遊技機であるパチンコ遊技機を例に挙げて本発明の実施の形態を図面に基づき説明する。
図１、２に示すように、パチンコ遊技機１は、機枠２（外枠）の前面に、大きな矩形状開口を有する略額縁状の前面枠３（内枠）を開閉可能に軸着し、この前面枠３のベースとなる前面枠本体４に矩形状の遊技盤５を前方から収納可能とし、遊技盤５の表面には遊技領域６を区画形成している。また、前面枠３の前側には、一側（図１中、左側）が軸着された透明部材保持枠８を開閉可能に設け、該透明部材保持枠８に透視可能な透明部材９を保持し、透明部材９を通して遊技領域６をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の側部（図１中、右側部）には、発射装置（図示せず）を操作するための発射操作ユニット１４を備えている。
【００１８】
また、図３に示すように、前面枠本体４の裏面側には裏機構盤１８を形成し、該裏機構盤１８に略矩形状の開口窓部１９を開設し、前面枠本体４に遊技盤５を前方から交換可能な状態で取り付けると共に、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部にはサブ制御装置の一種である排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００１９】
そして、遊技盤５の裏面のうち、裏機構盤１８の開口窓部１９から臨む部分に、略矩形状の大きな遊技盤カバー２８を備えた裏側ベース２９と横長な装着ベース３０とを上下に並べた状態で配置し、上側の裏側ベース２９の内部には、サブ制御装置の一種である演出制御装置（図示せず）を装着し、下側の装着ベース３０の裏面側には、メイン制御装置である遊技制御装置３２を着脱可能な状態で装着している。
【００２０】
次に、遊技制御装置３２について説明する。
遊技制御装置３２は、遊技盤５の左右方向に沿って延在する薄い箱状のユニットであり、図４に示すように、透光性を有して内部を透視可能な樹脂製（例えば無色透明な樹脂製）の基板ボックス３４と、該基板ボックス３４内に収容された矩形状の制御基板３５と、当該遊技制御装置３２を識別するための電子タグシール３６とを備えて構成されており、電子タグシール３６を保護カバー部材３７で保護可能とし、制御基板３５にはＣＰＵ等からなる遊技制御実行用の電子部品３５ａや配線接続用の配線コネクタ３５ｂを実装している。
【００２１】
基板ボックス３４は、装着ベース３０に装着された状態で当該基板ボックス３４の表側（遊技盤５の前寄り）に配置される第１ケース体４１（ベース部材）と、当該基板ボックス３４の裏側（遊技盤５の後寄り）に配置されて第１ケース体４１に重合する第２ケース体４２（蓋部材）とに分割して開閉できるように構成されている。そして、両ケース体４１、４２を重合して閉じた状態（重合状態または閉状態）で当該基板ボックス３４の内部に制御基板３５を収納可能とし、第２ケース体４２には、配線コネクタ３５ｂを露出させるためのコネクタ開口４２ａを開設している。また、図４に示すように、基板ボックス３４の上下両縁部には、第１ケース体４１と第２ケース体４２とを閉状態で係合する係合機構４３を備え、基板ボックス３４の裏面側の下部には、電子タグシール３６を貼着するための貼着部４６を電子タグシール３６よりも僅かに広く設定された状態で備えている。そして、基板ボックス３４の左右両側部には、第１ケース体４１と第２ケース体４２とを閉じた状態で封止し、且つ破壊しない限り基板ボックス３４の封止を解除不能とする封止機構４７（かしめ機構４７）を、第１ケース体４１と第２ケース体４２との境界（分割境界）に跨る状態で設けている。
【００２２】
係合機構４３は、第１ケース体４１の上下両端部に設けられた係合溝部５０（図５（ａ）参照）と、第２ケース体４２の上下両端部から延設された係合片５１（図６（ａ）参照）とから構成されており、係合溝部５０を基板ボックス３４の横向き延在方向（言い換えると遊技盤５の左右方向）に沿って延在すると共に、基板ボックス３４の中央側へ向けて開放して、係合片５１を係合溝部５０の延在方向に沿って摺動可能としている。また、図５（ａ）に示すように、係合溝部５０の裏側を区画する裏側壁部の側部（図５（ａ）中、右側部）を後方の第２ケース体４２側へ向けて開放して嵌脱部５２を形成し、該嵌脱部５２を介して係合片５１を係合溝部５０へ嵌脱できるように構成されている。
【００２３】
このような構成の係合機構４３を備えた第１ケース体４１と第２ケース体４２とを取り付けるには、まず、第２ケース体４２を重合方向（図４中、矢印Ａで示す方向）へ移動して第１ケース体４１へ裏側から近づけ、嵌脱部５２に係合片５１を通して第１ケース体４１と第２ケース体４２とを重合する。さらに、第１ケース体４１に対して第２ケース体４２を第１ケース体４１の一側寄り（図４中、左寄り）へ向かう係合方向（図４中、矢印Ｂで示す方向）へスライドして係合片５１を係合溝部５０の一側部（図４中、左側部）へ摺動する。すると、係合片５１が基板ボックス３４の裏方向へ移動することを係合溝部５０の裏側壁部により規制され、第１ケース体４１と第２ケース体４２とを取り付けて閉じた状態（係合状態）にすることができる。一方、第１ケース体４１から第２ケース体４２を外す（分離する）には、第１ケース体４１に対して第２ケース体４２を第１ケース体４１の他側寄り（図４中、右寄り）へ向かう係合解除方向（図４中、矢印Ｃで示す方向）へスライドして係合片５１を嵌脱部５２へ臨ませ（図４参照）、この状態で第２ケース体４２を基板ボックス３４の裏方向へ向かう離間方向（図４中、矢印Ｄで示す方向）へ移動して第１ケース体４１から離間する。したがって、第２ケース体４２は、基板ボックス３４の重合方向Ａへ移動した後に係合方向Ｂへスライドして第１ケース体４１へ係合される。一方、第１ケース体４１への係合状態から係合解除方向Ｃへスライドした後に離間方向Ｄへ移動すれば、第１ケース体４１から離間する。この結果、基板ボックス３４は、係合機構４３により第２ケース体４２を分割境界に沿ってスライドして開閉可能となる。
【００２４】
貼着部４６は、図４〜図６に示すように、第１ケース体４１に形成され第２ケース体４２側へ突出した突出部４５の下面部からなる第１貼着部４６ａと、第２ケース体４２の下部に形成された第２貼着部４６ｂとから構成され、下部を第１貼着部４６ａに沿って屈曲させた電子タグシール３６を貼着すると、第１ケース体４１と第２ケース体４２とに跨って貼着可能、言い換えると、第１ケース体４１と第２ケース体４２との分割境界を覆う状態で基板ボックス３４の表面に貼着可能としている。また、保護カバー部材３７は、下部が前方の第１ケース部材側へ向けて屈曲した屈曲板状の部材で、電子タグシール３６よりもひと回り大きく形成され、電子タグシール３６の全体を十分に被覆できるように構成されており、上部にはビスやワンウェイねじ等が挿通するカバー固着部３８ａを備えている。そして、第１ケース体４１と第２ケース体４２とを閉じた閉状態において、貼着部４６に電子タグシール３６を貼着した状態で、保護カバー部材３７を貼着部４６に装着して電子タグシール３６を被覆すると、第２ケース体４２に形成されたカバー固着受部３８（図４参照）とカバー固着部３８ａとが重なり、この状態でビスやワンウェイねじ等を固着部から挿入して締め込むと、保護カバー部材３７の一端部が第２ケース部材に固着されるように構成されている（図４、図７参照）。なお、電子タグシール３６は、不透明なシート材であり、電子タグ（図示せず）を備え、該電子タグには、遊技制御装置３２に関する固有の識別情報（例えば、識別ＩＤ）が予め記憶され、外部読取装置（図示せず）により読み取って、遊技制御装置３２が正規品であるか否かを確認可能としている。
【００２５】
次に、封止機構４７（かしめ機構４７）について説明する。
かしめ機構４７は、第１ケース体４１と第２ケース体４２とを閉状態で固着して封止するための機構であり、図４に示すように、基板ボックス３４の左右両側の端部にそれぞれ２つずつ上下に並んだ状態（合計４つ）で位置する封止部５５と、該封止部５５にそれぞれ固着される封止具５４（図８参照）とからなる。
【００２６】
封止部５５は、第１ケース体４１に設けられた封止受部５６と第２ケース体４２に設けられた封止体５７とからなり、第２ケース体４２を係合方向Ｂへスライドし第１ケース体４１と係合させると、封止体５７がスライドして封止受部５６と接合するように構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状に形成した封止受部５６と、第２ケース体４２に突設した封止体ブラケット６０に設けられ、同じく中心線Ｌが重合方向Ａまたは離間方向Ｄに沿う円筒状に形成し、封止受部５６と外径を同じとした円筒状の封止体５７とから構成されている。そして、封止体５７と封止受部５６は、固着状態において、接合する接合面が、基板ボックス３４の厚さ方向（図４中、Ａ，Ｄ方向）に対して高低差を有し、かつ高低差が封止体５７および封止受部５６の側面に露出する面（例えば曲面、段差を有する面）などにより構成されている。図８、９に示す、封止受部５６は、上面（封止体５７との接合面）が、中心線Ｌ上に頂点が位置する曲面により構成されており、高低差ΔＨを有する。詳しくは、基板ボックス３４の左右方向（係合方向Ｂまたは係合解除方向Ｃに沿う方向）に対して垂直な面（図９（ｂ）中、紙面に対して平行な面）における断面において中心線Ｌに対して左右対称であって上に凸の放物線状になり、基板ボックス３４の上下方向（図４または図７（ａ）中、上下方向）に対して垂直な面（図９（ｂ）中、紙面に対して上下方向に垂直な面）における断面において水平な直線となる（すなわち、封止体５７を係合方向Ｂへスライドして封止受部５６と接合可能となる）ような、曲面により構成され、封止受部５６の内部には、ねじ等の封止具５４が螺合可能な径であり、封止受部５６上面に開口し封止受部５６下面に開口しない断面凹状の封止具固着受部５６ａを開設している。さらに、封止体５７は、封止受部５６と接合可能となるように下面（封止受部５６との接合面）が封止受部５６の上面に沿った形状（相補形状）に形成され、内部の上面側に封止具５４が挿入可能な封止具挿入口５７ａが円筒状に開設され、封止具挿入口５７ａに下面側で連通するように、封止具挿入口５７ａの径よりも小さく、かつ封止具５４が螺合しない程度の大きさで封止具貫通口５７ｂが開設されている。そして、封止体５７と封止受部５６を接合すれば、封止体５７の側面と封止受部５６の側面が一致し、封止具固着受部５６ａと封止具貫通口５７ｂが軸を同じくして連通する。
【００２７】
上記構成を備えた遊技制御装置３２を組み立てるには、まず、第１ケース体４１と第２ケース体４２とを離間した状態で、第２ケース体４２の内側に制御基板３５を止着して配線コネクタ３５ｂをコネクタ開口４２ａに臨ませる。次に、制御基板３５が取り付けられた第２ケース体４２を制御基板３５と第１ケース体４１の内側とが対向する姿勢に設定し、第２ケース体４２を重合方向Ａに沿って移動して第１ケース体４１へ重合させると共に、係合片５１を嵌脱部５２へ通す。そして、第２ケース体４２を係合方向Ｂへスライドして係合片５１を係合溝部５０へ係合させて第１ケース体４１と第２ケース体４２とを係合状態（閉じた状態）にする。すると、基板ボックス３４の左右両側の端部で、対応する封止体５７と封止受部５６（本実施形態ではそれぞれ４つずつ）がそれぞれ重合する。この状態で、封止具５４をそれぞれ封止具挿入口５７ａより挿入し、封止具貫通口５７ｂ、封止具固着受部５６ａへ挿通して、締め込めば、封止具５４の上部（ねじ等の頭部）が封止具貫通口５７ｂの縁に当接すると共に押圧して、封止体５７と封止受部５６を固着し、且つ固着状態を解除不能とすることができる。そして、貼着部４６に電子タグシール３６を貼着し、保護カバー部材３７を貼着部４６に装着して電子タグシール３６を被覆させて、固着部へ挿通したビスやワンウェイねじ等を固着受部に締め込むことで、保護カバー部材３７を第２ケース部材に固着する。このようにして、図７に示す遊技制御装置３２を組み立てることができる。
【００２８】
そして、上記遊技制御装置３２を、レーザーカッター等を用いてかしめ機構４７を不正に切断しようとすると、次のようになる。まず、不正行為者が不正行為を発覚されないように、封止体５７と封止受部５６(かしめ機構)の接合面で切断しようとしても、接合面を基板ボックス３４の厚さ方向（重合方向Ａまたは離間方向Ｄに沿う方向）に対して高低差を有した曲面により構成したため、接合面に沿ってレーザーカッター等で不正に切断することが困難であり、切断に時間がかかる。このため、不正の発生を抑制することができる。また、接合面に沿わずに切断した場合には、切断線を封止部５５の外部から確認することができるので、容易に不正切断を発見することができる。さらに、接合面と交差するように切断した場合、例えば、図１６（ｂ）に示す破線で切断した場合には、図１６（ａ）、１６（ｂ）に示すように、封止部５５の一部が欠け落ちるため、容易に不正切断を発見することができる。
【００２９】
ところで、封止部５５の接合面の形状は、上記実施形態で説明した断面形状が放物線となる曲面に限定されるものではなく、曲率Ｒが、一定な曲面でも良いし、曲面意外でも良い。例えば、他の実施例として、図１０〜図１２に、第２〜第４実施形態の封止体５７および封止受部５６を示す。
【００３０】
まず、第２実施形態として、図１０に示す、封止体５７および封止受部５６について説明する。この場合も、第１実施形態と同様に、封止体５７と封止受部５６は、固着状態において、接合する接合面が、基板ボックス３４の厚さ方向に対して高低差を有し、かつ高低差が封止体５７および封止受部５６の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状に形成した封止受部５６と、第２ケース体４２に突設した封止体ブラケット６０に設けられ、同じく中心線Ｌが重合方向Ａまたは離間方向Ｄに沿う円筒状に形成し、封止受部５６と外径を同じとした円筒状の封止体５７とから構成されている。そして、封止受部５６の上面（封止体５７との接合面）は、断面形状が波形、或いはサインカーブを呈して中心線Ｌ方向に高低差ΔＨを有する曲面により構成されている。より詳しくは、基板ボックス３４の左右方向（係合方向Ｂまたは係合解除方向Ｃに沿う方向）に対して垂直な面（図１０（ｂ）中、紙面に対して水平な面）における断面において中心線Ｌに対して左右非対称な波状（本実施形態では、中心線Ｌに対して一方向側で凸になり、他方向側で凹になる相補形状）になり、基板ボックス３４の上下方向（図４または図７（ａ）中、上下方向）に対して垂直な面（図１０（ｂ）中、紙面に対して上下方向に垂直な面）における断面において水平な直線となる（すなわち、封止体５７を係合方向Ｂへスライドして封止受部５６と接合可能となる）ような、曲面により構成され、封止受部５６の内部には、ねじ等の封止具５４が螺合可能な径であり、封止受部５６上面に開口し封止受部５６下面に開口しない断面凹状の封止具固着受部５６ａを開設している。この場合の封止体５７は、封止受部５６と接合可能となるように下面（封止受部５６との接合面）が封止受部５６の上面に沿った形状に形成され、内部の上面側に封止具５４が挿入可能な封止具挿入口５７ａが円筒状に開設され、封止具挿入口５７ａに下面側で連通するように、封止具挿入口５７ａの径よりも小さく、かつ封止具５４が螺合しない程度の大きさで封止具貫通口５７ｂが開設されている。そして、封止体５７と封止受部５６を接合すれば、封止体５７の側面と封止受部５６の側面が一致し、封止具固着受部５６ａと封止具貫通口５７ｂが軸を同じくして連通する。なお、第２実施形態のかしめ機構４７を備えた遊技制御装置３２の組み立て方法は、第１実施形態と同様であるため、説明は省略する。
【００３１】
また、第２実施形態の場合は、不正行為者が不正行為を発覚されないように、封止体５７と封止受部５６(かしめ機構)の接合面で切断しようとしても、接合面を基板ボックス３４の厚さ方向に対して高低差を有したより複雑な曲面により構成したため、接合面に沿ってレーザーカッター等で不正に切断することがさらに困難であり、切断に時間がかかる。このため、不正の発生を抑制することができる。また、接合面に沿わずに切断した場合には、切断線を封止部５５の外部から確認することができるので、容易に不正切断を発見することができる。さらに、接合面と交差するように切断した場合、例えば、図１７（ｂ）に示す破線で切断した場合には、図１７（ａ）、１７（ｂ）に示すように、封止部５５の一部が欠け落ちるため、容易に不正切断を発見することができる。
【００３２】
次に、第３実施形態として、図１１に示す、封止体５７および封止受部５６について説明する。この場合も、第１実施形態と同様に、封止体５７と封止受部５６は、固着状態において、接合する接合面が、基板ボックス３４の厚さ方向に対して高低差を有し、かつ高低差が封止体５７および封止受部５６の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状に形成した封止受部５６と、第２ケース体４２に突設した封止体ブラケット６０に設けられ、同じく中心線Ｌが重合方向Ａまたは離間方向Ｄに沿う円筒状に形成し、封止受部５６と外径を同じとした円筒状の封止体５７とから構成されている。そして、封止受部５６の上面（封止体５７との接合面）が、中心線Ｌ方向の段差（高低差ΔＨ）を有する階段状の面により構成されている。より詳しくは、基板ボックス３４の左右方向（係合方向Ｂまたは係合解除方向Ｃに沿う方向）に対して垂直な面（図１１（ｂ）中、紙面に対して水平な面）における断面において階段状の段差（本実施形態では、中心線Ｌに対して一方向側から他方向側に向けて下る３段の段差）を形成し、基板ボックス３４の上下方向（図４または図７（ａ）中、上下方向）に対して垂直な面（図１１（ｂ）中、紙面に対して上下方向に垂直な面）における断面において水平な直線となる（すなわち、封止体５７を係合方向Ｂへスライドして封止受部５６と接合可能となる）ような面により構成する。また、封止受部５６の内部には、ねじ等の封止具５４が螺合可能な径であり、封止受部５６上面に開口し封止受部５６下面に開口しない断面凹状の封止具固着受部５６ａを開設している。この場合の封止体５７は、封止受部５６と接合可能となるように下面（封止受部５６との接合面）が封止受部５６の上面に沿った形状に形成され、内部の上面側に封止具５４が挿入可能な封止具挿入口５７ａが円筒状に開設され、封止具挿入口５７ａに下面側で連通するように、封止具挿入口５７ａの径よりも小さく、かつ封止具５４が螺合しない程度の大きさで封止具貫通口５７ｂが開設されている。そして、封止体５７と封止受部５６を接合すれば、封止体５７の側面と封止受部５６の側面が一致し、封止具固着受部５６ａと封止具貫通口５７ｂが軸を同じくして連通する。なお、第３実施形態のかしめ機構４７を備えた遊技制御装置３２の組み立て方法は、第１実施形態と同様であるため、説明は省略する。
【００３３】
また、第３実施形態の場合は、不正行為者が不正行為を発覚されないように、封止体５７と封止受部５６(かしめ機構)の接合面で切断しようとしても、接合面を段差を有する面により構成したため、接合面に沿ってレーザーカッター等で不正に切断することがさらに困難であり、切断に時間がかかる。このため、不正の発生を抑制することができる。また、接合面に沿わずに切断した場合には、切断線を封止部５５の外部から確認することができるので、容易に不正切断を発見することができる。さらに、接合面と交差するように切断した場合、例えば、図１８（ｂ）に示す破線で切断した場合には、図１８（ａ）、１８（ｂ）に示すように、封止部５５の一部が欠け落ちるため、容易に不正切断を発見することができる。
【００３４】
次に、第４実施形態として、図１２に示す、封止体５７および封止受部５６について説明する。この場合も、第１実施形態と同様に、封止体５７と封止受部５６は、固着状態において、接合する接合面が、基板ボックス３４の厚さ方向に対して高低差を有し、かつ高低差が封止体５７および封止受部５６の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状に形成した封止受部５６と、第２ケース体４２に突設した封止体ブラケット６０に設けられ、同じく中心線Ｌが重合方向Ａまたは離間方向Ｄに沿う円筒状に形成し、封止受部５６と外径を同じとした円筒状の封止体５７とから構成されている。そして、封止受部５６の上面（封止体５７との接合面）を、水平な平面と、該平面の一側端部に封止受部５６側面から延在した突起状の段差（高低差ΔＨ）とを有する面により構成している。より詳しくは、突起状の段差は、第２ケース体４２を係合する時のスライド方向進行側に突設され、外面が封止受部５６の側面と一致するような略三角柱状に形成し、封止体５７と封止受部５６を接合したときに、封止具挿入口５７ａの内部に侵入しない程度の厚さ、かつ封止体５７の上面から突出しない程度の高さに形成されている。なお、本実施形態では、突起状の段差は封止受部５６に２つ設けてある。また、封止受部５６の内部には、ねじ等の封止具５４が螺合可能な径であり、封止受部５６上面に開口し封止受部５６下面に開口しない断面凹状の封止具固着受部５６ａを開設している。封止体５７は、封止受部５６と接合可能となるように下面および側面（封止受部５６との接合面）が封止受部５６の平面および突起状の段差に沿った形状（噛合して一体化する相補形状）形成され、内部の上面側に封止具５４が挿入可能な封止具挿入口５７ａが円筒状に開設され、封止具挿入口５７ａに下面側で連通するように、封止具挿入口５７ａの径よりも小さく、かつ封止具５４が螺合しない程度の大きさで封止具貫通口５７ｂが開設されている。そして、封止体５７と封止受部５６を接合すれば、封止体５７の側面と封止受部５６の側面が一致し、封止具固着受部５６ａと封止具貫通口５７ｂが軸を同じくして連通する。なお、第４実施形態のかしめ機構４７を備えた遊技制御装置３２の組み立て方法は、第１実施形態と同様であるため、説明は省略する。
【００３５】
また、第４実施形態の場合は、不正行為者が不正行為を発覚されないように、封止体５７と封止受部５６(かしめ機構)の接合面で切断しようとしても、接合面を突起状の段差を有する面により構成したため、接合面に沿ってレーザーカッター等で不正に切断することがさらに困難であり、切断に時間がかかる。このため、不正の発生を抑制することができる。また、接合面に沿わずに切断した場合には、切断線を封止部５５の外部から確認することができるので、容易に不正切断を発見することができる。さらに、接合面と交差するように切断した場合、例えば、図１９（ｂ）に示す破線で切断した場合には、図１９（ａ）、１９（ｂ）に示すように、封止部５５の一部が欠け落ちるため、容易に不正切断を発見することができる。
【００３６】
ここで、封止部５５の接合面の形状は、上記実施形態に限定されず、基板ボックス３４の側面から見て接合面の合わせ目の一部が見えないような形状、即ち、基板ボックス３４の厚さ方向に対しての高低差が封止体および／または封止受部の側面に一部が露出して残部が隠れてしまう形状にすることもできる。例えば、図１３、図１４に、第５、第６実施形態の封止体５７′および封止受部５６′を示す。
【００３７】
第５実施形態の封止体５７′および封止受部５６′については、図１３を用いて以下に説明する。この場合も、封止体５７′と封止受部５６′は、固着状態において、接合する接合面が、基板ボックス３４の厚さ方向に対して高低差を有し、かつ高低差が封止体５７および封止受部５６の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状の封止受部本体５６ｂ′および封止受部本体５６ｂ′上面端部から延出した側壁５６ｃ′（内面が接合面の高低差ΔＨに相当）を有する封止受部５６′と、第２ケース体４２に突設した封止体ブラケット６０に設けられ、同じく中心線Ｌが重合方向Ａまたは離間方向Ｄに沿う円筒状に形成し、封止受部５６′と最外径を同じとした円筒状の封止体５７′とから構成されている。より詳しくは、封止受部５６′は、封止受部本体５６ｂ′上面を水平な平面とし、封止受部本体５６ｂ′上面の端部において、封止受部本体５６ｂ′側面から延在した側壁５６ｃ′が立設している。また、側壁５６ｃ′は、第２ケース体４２を係合する時のスライド方向進行側に立設され、外面が封止受部本体５６ｂ′の側面と一致し、封止体５７′と封止受部５６′を接合したときに、基板ボックス３４側面を真横から見て接合面が見えないように封止受部５６′の周囲半周に亘る長さであり、側壁５６ｃ′が封止具挿入口５７ａ′の内部に侵入しない程度の厚さ、かつ側壁５６ｃ′上面が封止体５７′上面と同じ高さになるように形成されている。さらに、封止受部５６′の内部には、ねじ等の封止具５４が螺合可能な径であり、封止受部本体５６ｂ′上面に開口し封止受部本体５６ｂ′下面に開口しない断面凹状の封止具固着受部５６ａ′を開設している。封止体５７′は、封止受部５６′と接合可能となるように下面および側面（封止受部５６′との接合面）が封止受部５６′の上面および側壁５６ｃ′の内面に沿う形状（側壁５６ｃ′と対向する部分の外径を側壁５６ｃ′と対向しない部分の外径よりも側壁５６ｃ′の厚さ分だけ薄くなる形状）に形成され、内部の上面側に封止具５４が挿入可能な封止具挿入口５７ａ′が円筒状に開設され、封止具挿入口５７ａ′に下面側で連通するように、封止具挿入口５７ａ′の径よりも小さく、かつ封止具５４が螺合しない程度の大きさで封止具貫通口５７ｂ′が開設されている。そして、封止体５７′と封止受部５６′を接合すれば、封止具固着受部５６ａ′と封止具貫通口５７ｂ′が軸を同じくして連通すると共に、封止受部５６′（側壁５６ｃ′）が封止体５７′の周囲を覆う。なお、図１３は基板ボックス３４のうち遊技盤５の裏側から見て左側に位置する封止部５５であるが、右側に位置する封止部５５の場合には、封止体５７′の下面側に同様な側壁５６ｃ′を立設することで封止受部５６′の周囲を覆うことができる。要は、封止体５７′および封止受部５６′のうち、一方の部材で他方の部材の周囲を覆うように封止体５７′または封止受部５６′に側壁５６ｃ′を立設するように構成する。また、第５実施形態のかしめ機構４７を備えた遊技制御装置３２の組み立て方法は、第１実施形態と���様であるため、説明は省略する。
【００３８】
第５実施形態の場合は、不正行為者が不正行為を発覚されないように、封止体５７′と封止受部５６′(かしめ機構)の接合面で切断しようとしても、封止体５７′および封止受部５６′のうち、一方の部材で他方の部材の周囲を覆っており、図１３（ｃ）に示すように基板ボックス３４の左側面（右側面）を真横から見て接合面が見えないため、接合面に合わせて切断することができない。このため、封止部５５の側面を切断すれば、必ず切断線が残るので、容易に不正切断を発見することができる。
【００３９】
また、第６実施形態の封止体５７′および封止受部５６′については、図１４を用いて以下に説明する。この場合は、封止体５７′と封止受部５６′は、固着状態において、接合する接合面が、基板ボックス３４の厚さ方向に対して高低差を有し、かつ高低差が封止体５７または封止受部５６の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う直方体筒状の封止受部本体５６ｂ′および封止受部本体５６ｂ′上面端部から延出した側壁５６ｃ′（内面が接合面の高低差ΔＨに相当）を有する封止受部５６′と、第２ケース体４２に突設した封止体ブラケット６０に設けられ、同じく中心線Ｌが重合方向Ａまたは離間方向Ｄに沿う直方体筒状に形成した封止体５７′とから構成されている。より詳しくは、封止受部５６′は、封止受部本体５６ｂ′上面を水平な平面とし、封止受部本体５６ｂ′上面の端部において、封止受部本体５６ｂ′側面から延在した側壁５６ｃ′が立設している。また、側壁５６ｃ′は、基板ボックス３４側（封止体５７′がスライドして嵌入する側）以外の面を囲うと共に、外面を封止受部本体５６ｂ′の側面と一致させ、封止体５７′と封止受部５６′を接合したときに、側壁５６ｃ′が封止具挿入口５７ａ′の内部に侵入しない程度の厚さ、かつ側壁５６ｃ′上面が封止体５７′上面と同じ高さになるように形成されている。さらに、封止受部５６′の内部には、ねじ等の封止具５４が螺合可能な径であり、封止受部本体５６ｂ′上面に開口し封止受部本体５６ｂ′下面に開口しない断面凹状の封止具固着受部５６ａ′を開設している。封止体５７′は、封止受部５６′と接合可能となるように下面および側面（封止受部５６′との接合面）が封止受部本体５６ｂ′の上面および側壁５６ｃ′の内面に沿う形状に形成され、内部の上面側に封止具５４が挿入可能な封止具挿入口５７ａ′が円筒状に開設され、封止具挿入口５７ａ′に下面側で連通するように、封止具挿入口５７ａ′の径よりも小さく、かつ封止具５４が螺合しない程度の大きさで封止具貫通口５７ｂ′が開設されている。そして、封止体５７′と封止受部５６′を接合すれば、封止具固着受部５６ａ′と封止具貫通口５７ｂ′が軸を同じくして連通すると共に、封止受部５６′（側壁５６ｃ′）が封止体５７′の周囲を覆う。なお、図１４は基板ボックス３４のうち遊技盤５の裏側から見て左側に位置する封止部５５であるが、右側に位置する封止部５５の場合には、封止体５７′の下面側に同様な側壁５６ｃ′を立設することで封止受部５６′の周囲を覆うことができる。要は、封止体５７′および封止受部５６′のうち、一方の部材で他方の部材の周囲を覆うように封止体５７′または封止受部５６′に側壁５６ｃ′を立設するように構成する。また、第６実施形態のかしめ機構４７を備えた遊技制御装置３２の組み立て方法は、第１実施形態と同様であるため、説明は省略する。
【００４０】
第６実施形態の場合は、不正行為者が不正行為を発覚されないように、封止体５７′と封止受部５６′(かしめ機構)の接合面で切断しようとしても、封止体５７′および封止受部５６′のうち、一方の部材で他方の部材の基板ボックス３４側以外の面を覆っており、基板ボックス３４の左側面（右側面）から見て接合面が全く見えないため、接合面に合わせて切断することができない。このため、封止部５５の側面を切断すれば、必ず切断線が残るので、容易に不正切断を発見することができる。
【００４１】
さらに、上記実施形態に限らず、封止部５５に第２ケース体４２の係合方向とは逆方向（係合解除方向Ｃ方向）にスライドすることを規制する係合機能を持たせることもできる。例えば、第７実施形態の封止体５７″および封止受部５６″を図１５に示す。この場合も、第１実施形態と同様に、封止体５７″と封止受部５６″は、固着状態において、接合する接合面が、基板ボックス３４の厚さ方向に対して高低差を有し、かつ高低差が封止体５７″および封止受部５６″の側面に露出する面により構成されている。詳しくは、封止部５５は、基板ボックス３４の第１ケース体４１に突設した封止受部ブラケット５９に設けられ、中心線Ｌが重合方向Ａまたは離間方向Ｄに沿う円筒状に形成した封止受部５６″と、第２ケース体４２に突設した封止体ブラケット６０に設けられ、同じく中心線Ｌが重合方向Ａまたは離間方向Ｄに沿う円筒状に形成し、封止受部５６″と外径を同じとした円筒状の封止体５７″とから構成されている。そして、封止受部５６″の上面（封止体５７″との接合面）は水平な平面を有し、該平面の一側端部かつ封止体５７″と封止受部５６″を接合した状態で目視可能な箇所において、平面より斜め上方に向けて突起部５６ｂ″（高低差ΔＨ）を設けている。より詳しくは、突起部５６ｂ″は、封止受部５６″の上面から第２ケース体４２を係合する時のスライド進行方向（図１５（ａ）の矢印方向）に向かって斜め上方に延出し、上端から封止受部５６″の上面へ向けて急峻な段差を設け、外面が封止受部５６″の側面と一致するように形成し、封止体５７″と封止受部５６″を接合したときに、封止具挿入口５７ａ″の内部に侵入しない程度の厚さ、かつ封止体５７″および封止受部５６″が変形して後述する突起部受部５７ｃ″と係合可能な高さに形成されている。また、封止受部５６″の内部には、ねじ等の封止具５４が螺合可能な径であり、封止受部５６″上面に開口し封止受部５６″下面に開口しない断面凹状の封止具固着受部５６ａ″を開設している。封止体５７″は、封止受部５６″と係合（接合）可能となるように水平な平面状の下面端部に突起部５６ｂ″に沿った形状（相補形状）の突起部受部５７ｃ″が形成され、内部の上面側に封止具５４が挿入可能な封止具挿入口５７ａ″が円筒状に開設され、封止具挿入口５７ａ″に下面側で連通するように、封止具挿入口５７ａ″の径よりも小さく、かつ封止具５４が螺合しない程度の大きさで封止具貫通口５７ｂ″が開設されている。そして、封止体５７″をスライドさせて封止受部５６″と接合すれば、封止体５７″および封止受部５６″が変形して突起部５６ｂ″が突起部受部５７ｃ″内に嵌合すると共に封止体５７″と封止受部５６″が係合し、また、封止具固着受部５６ａ″と封止具貫通口５７ｂ″が軸を同じくして連通する。なお、封止体５７″と封止受部５６″が係合する以外は、第７実施形態のかしめ機構４７を備えた遊技制御装置３２の組み立て方法は、第１実施形態と同様であるため、説明は省略する。
【００４２】
また、第７実施形態の場合も、不正行為者が不正行為を発覚されないように、封止体５７″と封止受部５６″(かしめ機構)の接合面で切断しようとしても、接合面に突起部５６ｂ″を形成しているため、突起部５６ｂ″の形状に沿ってレーザーカッター等で不正に切断することが困難であり、切断に時間がかかる。このため、不正の発生を抑制することができる。また、接合面に沿わずに切断した場合には、切断線を封止部５５の外部から確認することができるので、容易に不正切断を発見することができる。さらに、突起部５６ｂ″を無視して接合面を水平に切断した場合は、図２０に示すように、突起部５６ｂ″が欠け落ちるため、容易に不正切断を発見することができる。そして、接合面に上記のような突起部５６ｂ″を設けたので、封止体５７″と封止受部５６″が係合して、第２ケース体４２が係合解除方向Ｃ方向にスライドすることを防ぐことができる。
【００４３】
ところで、上記第１〜第７実施形態の封止部５５に限らず、各実施形態の全てもしくは一部の特徴を組み合わせた接合面を有する封止部５５としてもよい。例えば、封止体および封止受部のうち、一方の部材で他方の部材の一部を覆うように封止体または封止受部に側壁５６ｃ′を立設し、その側壁５６ｃ′で覆われていない接合面に曲面と段差を組み合わせた面を設け、その端部に突起部５６ｂ″を設けた接合面を有する封止部５５としてもよい。さらには、より複雑な形状の接合面を有する封止部とすることもできる。要は、封止部５５を構成する封止体と封止受部とが接合している接合面を、封止部５５における上下方向（基板ボックス３４の厚さ方向）に対して高低差を有し、かつ前記接合面の高低差が封止体および／または封止受部の側面に露出する面により構成すればよい。このようにすることで、不正行為者が不正行為を発覚されないように、封止体と封止受部(かしめ機構)の接合面で切断しようとしても、接合面が水平な直線ではないため、接合面に沿ってレーザーカッター等で不正に切断することが困難であり、切断に時間がかかる。このため、不正の発生を抑制することができる。また、接合面に沿わずに切断した場合には、切断線を封止部５５の外部から確認することができるので、容易に不正切断を発見することができる。さらに、接合面と交差するように切断した場合、封止部５５の一部が欠け落ちるため、容易に不正切断を発見することができる。
【００４４】
ここで、封止体５７および封止受部５６にそれぞれ異なる色を着色することもできる。例えば、封止体５７を青色で着色した半透明な樹脂等で作成し、封止受部５６を赤色で着色した半透明な樹脂等で作成する。このようにしておけば、不正切断箇所から封止体５７と封止受部５６のどちらかが欠け落ちた場合、欠け落ちた切断片を発見しやすく、不正切断箇所が発見し難くなったとしても、容易に不正切断を発見することができる。また、欠け落ちた切断片の色で封止体５７と封止受部５６のどちらが欠けたのかを識別できるので、不正切断箇所をある程度予測でき、不正切断箇所が発見しやすくなる。
【００４５】
なお、上記実施形態のかしめ機構４７では、４つ全ての封止部５５をそれぞれ封止具５４により固着し、固着状態を解除不能としたが、これに限らず、固着しない封止部５５を設けてもよい。例えば、基板ボックス３４のうち遊技盤５の裏側から見て右上と左下に位置する２つの封止部５５だけを固着する。このとき、固着しない封止部５５（基板ボックス３４のうち遊技盤５の裏側から見て右下と左上に位置する封止部５５）は、封止具５４を完全に締めず封止部５５内に留まる状態（仮止め状態）としておく。このようにすることで、固着した封止具５４を破壊して基板ボックス３４を一度開封し、制御基板３５に不具合や不正等が無いかチェックした後、仮止め状態とした封止部５５内の封止具５４を締め込むことで、再び基板ボックス３４を固着状態にすることができる。より詳しくは、固着されている封止部５５を接続している封止体ブラケット６０および封止受部ブラケット５９だけを、ニッパー等の工具で切断することによって、固着されている封止部５５のみを切除する。次に、保護カバー部材３７を第２ケース体４２から外し、切除されていない封止部５５に仮止めされている封止具５４を緩め、封止体５７と封止受部５６の接合面より上部に移動させた後、第２ケース体４２を、第１ケース体４１から係合解除方向Ｃへスライドし、さらに離間方向Ｄへ移動すれば、第１ケース体４１から離間することで基板ボックス３４を開放する。そして、第２ケース体４２から制御基板３５を取り外し、目視等により不正部品が搭載されていないか否か等のチェックを行い、不具合や不正等が無ければ、再び組み立てる。
【００４６】
遊技制御装置３２を再び組み立てるには、最初に組み立てた時と同様に、第１ケース体４１と第２ケース体４２とを離間した状態で、第２ケース体４２の内側に制御基板３５を止着して配線コネクタ３５ｂをコネクタ開口４２ａに臨ませる。次に、制御基板３５が取り付けられた第２ケース体４２を制御基板３５と第１ケース体４１の内側とが対向する姿勢に設定し、第２ケース体４２を重合方向Ａに沿って移動して第１ケース体４１へ重合させると共に、係合片５１を嵌脱部５２へ通す。そして、第２ケース体４２を係合方向Ｂへスライドして係合片５１を係合溝部５０へ係合させて第１ケース体４１と第２ケース体４２とを係合状態（閉じた状態）にする。すると、基板ボックス３４の左右両側の端部で切除されていない封止体５７と封止受部５６がそれぞれ重合する。この状態で、封止具５４をそれぞれ封止具固着受部へ挿通して、締め込み、封止体５７と封止受部５６を固着し、且つ固着状態を解除不能とすると共に、保護カバー部材３７を第２ケース部材に固着すれば、遊技制御装置３２を組み立てることができる。このように、全ての封止部５５を封止せず、一部の封止部５５だけを封止することによって、基板ボックス３４を開封した後、再び組み立てができる。
【００４７】
また、上記実施形態のかしめ機構４７では、基板ボックス３４の左右両側の端部にそれぞれ２つずつ、合計４つの封止部５５を設けたが、封止部５５の数は４つに限らず、また、上下両側の端部に封止部５５を設けてもよい。要は、基板ボックス３４のうち少なくとも１つ以上の封止部５５を設けておけばよく、さらに、基板ボックス３４の端部のうち少なくとも一側の端部に封止部５５を設けておけばよい。また、複数の封止部５５を設けた場合には、個々の封止部５５の接合面は、それぞれ別個の形状にしてもよい。このようにしておけば、複数の封止部５５を接合面に沿ってレーザーカッター等で不正に切断するときに、個々の封止具５４によって切断する操作を変えなければいけないので、より時間をかけさせることができ、不正の発生を抑制することができる。
【００４８】
さらに、上記実施形態の遊技制御装置３２では、基板ボックス３４に係合機構４３を備え、第２ケース体４２をスライドさせて第１ケース体４１と重合すると共に封止体５７をスライドさせて封止受部５６に接合したが、本発明はこれに限定されない。例えば、係合機構４３を用いずに、第２ケース体４２を重合方向Ａに沿って移動して第１ケース体４１へ重合させると共に封止体５７と封止受部５６を接合させ、封止具５４を用いて封止体５７と封止受部５６を固着してもよいし、第１ケース体４１または第２ケース体４２に鉤状の係合機構４３を備え、第２ケース体４２を重合方向Ａに沿って移動して鉤状の係合機構４３によって第１ケース体４１と第２ケース体４２を所定の位置で係合し、その後、封止具５４を用いて封止体５７と封止受部５６を固着してもよい。これらの場合には、第２ケース体４２をスライドする必要が無いため、上記実施形態のようなスライド方向による制約（例えば、第１実施形態において基板ボックス３４の上下方向に対して垂直な面における断面において水平な直線となるような接合面にすること）が無くなり、より複雑な接合面にすることができる。
【００４９】
また、上記実施形態では、代表的な遊技機であるパチンコ遊技機１を例にして説明したが、本発明はこれに限らず、遊技制御実行用の電子部品３５ａが実装された制御基板３５と、該制御基板３５を内部に収納するための基板ボックス３４と、を備え、第１ケース体４１と第２ケース体４２を封止するためのかしめ機構４７を備える遊技機であればどのような遊技機でもよい。例えば、封入球式パチンコ機、アレンジボール式遊技機、雀球式遊技機等の遊技機であってもよい。
【００５０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００５１】
１  パチンコ遊技機
５  遊技盤
３２  遊技制御装置
３４  基板ボックス
３５  制御基板
４１  第１ケース体
４２  第２ケース体
４７  封止機構（かしめ機構）
５４  封止具
５５  封止部
５６，５６′，５６″  封止受部
５７，５７′，５７″  封止体
【図１】
2011212360.tif 000003
【図２】
2011212360.tif 000004
【図３】
2011212360.tif 000005
【図４】
2011212360.tif 000006
【図５】
2011212360.tif 000007
【図６】
2011212360.tif 000008
【図７】
2011212360.tif 000009
【図８】
2011212360.tif 000010
【図９】
2011212360.tif 000011
【図１０】
2011212360.tif 000012
【図１１】
2011212360.tif 000013
【図１２】
2011212360.tif 000014
【図１３】
2011212360.tif 000015
【図１４】
2011212360.tif 000016
【図１５】
2011212360.tif 000017
【図１６】
2011212360.tif 000018
【図１７】
2011212360.tif 000019
【図１８】
2011212360.tif 000020
【図１９】
2011212360.tif 000021
【図２０】
2011212360.tif 000022